(57)【特許請求の範囲】
【請求項１】
着用者の上半身を覆う上半身セクション（１）と、着用者の脚部の少なくとも一部を覆う下半身セクション（２）とを有する皮膚密着型サイクリングウエアであって、
前記上半身セクション（１）は、着用者の身体の各部に対応する、各々の通気度を有する複数の部分（１０）〜（１７）を有するとともに、皮膚と直接接触する第１層としてのアンダーウエアの機能を果たし、
前記下半身セクション（２）は、サイクリングタイツとしての機能を果たすようになっており、
より低い通気性を有する部分が、サイクリングタイツとして機能する下半身セクション（２）と、少なくとも上半身セクション（１）の一部、すなわち着用時最も外気に曝されるためより高い断熱性を必要とする体幹及び腕の部分、に位置していることを特徴とするサイクリングウェア。
【請求項２】
前記上半身セクション（１）における複数の部分（１０）〜（１７）の各々の通気度は、各部分（１０）〜（１７）を、それぞれ異なる材料、もしくは厚さが異なる同一の材料から形成するか、またはそれぞれ異なる処理を施すことによって得られるようになっていることを特徴とする請求項１に記載のサイクリングウエア。
【請求項３】
前記各々の通気度を有する複数の部分（１０）〜（１７）を有する上半身セクション（１）は、全体として、前記下半身セクション（２）よりも大きな通気性を有することを特徴とする請求項１または２に記載のサイクリングウエア。
【請求項４】
前記上半身セクション（１）における各々の通気度をもつ複数の部分（１０）〜（１７）は、それぞれ異なる重量を有することを特徴とする請求項１〜３のいずれかに記載のサイクリングウエア。
【請求項５】
股の部分に中央の座位ライン（２４）に関して対称な少なくとも２つの適当な形状を有するパッド（２３）を配置してなることを特徴とする請求項１〜４のいずれかに記載のサイクリングウエア。
【請求項６】
前記上半身セクション（１）は、少なくとも着用者の体幹の前面と後面を完全に覆うようになっていることを特徴とする請求項１〜５のいずれかに記載のサイクリングウエア。
【請求項７】
前記上半身セクション（１）は、肩から臀部にかけて延び、体幹の前面と後面の中央部を覆うサスペンダー部（１０）と、腋窩から腰にかけての体幹の側面を覆う側部（１１）（１１）と、襟部（１２）と、腋窩部（１３）（１３）と、シーム（１６）に沿って接合されている腕の内側領域を覆う部分（１４）および腕の外側領域を覆う部分（１５）からなる袖部と、肩部（１７）（１７）とからなることを特徴とする請求項１〜６のいずれかに記載のサイクリングウエア。
【発明の詳細な説明】
【技術分野】
【０００１】
本発明は、着用者の身体に密着するサイクリングウエアに関する。
【背景技術】
【０００２】
公知のサイクリングウエアには、夏季用の吊下げ型ショートパンツ、冬季用のジャケット一体型ロングパンツ等、種々のタイプのものがある。サイクリング用の吊下げ型ショートパンツは、例えば特許文献１に、ジャケット一体型ロングパンツは、特許文献２に記載されている。
【０００３】
従来のサイクリングウエアの場合、寒い天候のときには、アンダーウエアを着用しなければならない。このアンダーウエアは、肌に密着するＴシャツのようなものであり、防寒機能を備え、温度面において適度な心地よさを維持しうる、いわゆる保温材から形成されている。アンダーウエアは、皮膚に直接接しているため、「第１層」と呼ばれる。また、これよりも外側のウエア（例えばジャケット）は、「第２層」と呼ばれ、外気に対する断熱材として働く。気象条件に合わせて、必要に応じ、「第３層」以上のウエアも使用される。最も外側のウエアは、「シェル」または「アウトフィット」とも呼ばれる。
【０００４】
従来、第１層と第２層のウエアは、互いに異なる性質をもつ異なる種類のものであった。第１層のウエアまたはアンダーウエアは、体表の温度を維持すること、および汗を吸収して、皮膚を乾燥状態に保つ（吸湿材から形成される）ことを含むいくつかの技術的要求を満たさなければならない。一方、このような要求は、一般に、第２層のウエア、特に寒気から身体を保護することが要求される冬季用シェルによって満たされることはない。
【０００５】
アンダーウエアは、一般に弾性および皮膚への密着性について、第２層のウエアと同じ性質を有してはおらず、皺が寄りにくい。
【０００６】
皮膚との密着性（皺の寄りにくさ）は、サイクリングウエアとしてきわめて重要な性質である。すなわち、皺が寄りやすいと、皮膚を擦ることになって、不快感、ときには痛みを生じさせる。高機能のサイクリングウエアは、空気抵抗を減らす上でも、皮膚との密着性が要求される。
【０００７】
上記の理由により、スポーツウエア、とりわけサイクリングウエアは、「第２の皮膚」とも呼べるようなものとなるよう、弾性材の選択やパッドの配置箇所について、綿密な研究が必要である。また、上記の種々の性質は、サイクリングウエアが高い性能を発揮する上で重要であり、プロの選手だけでなく、アマチュア愛好家の関心事にもなっている。
【０００８】
公知のサイクリングウエアの問題点をまとめると、第２層のウエアは、皮膚と直接接するには適当でないため、アンダーウエアまたは第１層のウエアを使用しなければならないが、第１層のウエアは、第２層のウエアの技術的効果をいくつか打ち消すということである。
【特許文献１】米国特許出願公開第２００６／０２７７６４５号明細書
【特許文献２】欧州特許出願公開第１８３４５３２号明細書
【発明の開示】
【発明が解決しようとする課題】
【０００９】
本発明は、アンダーウエアを用いることなく、皮膚への密着性と、温度面での快適性を容易かつ効率的に確保して、上述の問題点を解決しうるスポーツウエア、特にサイクリングウエアを提供することを目的としている。
【課題を解決するための手段】
【００１０】
上記の目的は、着用者の上半身を覆う上半身セクションと、着用者の脚部の少なくとも一部を覆う下半身セクションとからなる皮膚密着型サイクリングウエアであって、前記上半身セクションは、着用者の身体の各部に対応する、各別の通気度をもつ複数の部分を有し、かつ皮膚と直接接触する第１層としてのアンダーウエアの機能を営み、前記下半身セクションは、サイクリングタイツとしての機能を営むようになっている本発明のサイクリングウエアによって達成される。
【００１１】
サイクリングウエアを構成する複数の部分が有する各別の通気度とは、着用者の身体の各部に対応して、上半身セクションにおける一の部分の通気指数（または通気レベル）が、他の部分のそれとは異なることを意味する。
【００１２】
本発明に係るサイクリングウエアは、着用者の身体の各部に対応する、少なくとも２つのレベルの通気度を有する複数の部分からなる。本発明の好ましい態様においては、サイクリングウエアは、２つよりも多い通気度を有する部分からなる。このような通気度の違いは、各部分を、それぞれ異なる材料、もしくは厚さが異なる同一の材料から形成するか、または各部分に異なる処理を施すことによって得ることができる。
【００１３】
本発明の一実施形態においては、サイクリングウエアは、第１の通気度を有する第１の部分と、第１の通気度よりも大きい第２の通気度を有する第２の部分とからなる。通気度が小さい部分は、下半身セクション、および上半身セクションのうち、最も外気の衝突を受けるために断熱性が要求される体幹と腕の領域である。
【００１４】
第１層、すなわち、皮膚に直接接触してアンダーウエアの機能を果たす部分に好適な材料は、例えば、ポリエステルもしくはポリプロピレン系の材料、または両者を混合したものである。一方、下半身セクションには、例えば、三層布地（膜を接合したもの）、ポリアミド／エラスタン繊維を混合したもの、Lycra(ライクラ；登録商標)繊維等の適当な材料が用いられる。
【００１５】
本発明に係るサイクリングウエアは、時季と気温に合わせて、特別な仕様とすることができる。すなわち、寒い時季に合わせて、ロングパンツとしたり、暑い時季に合わせて、軽量のショートパンツとしたりすることができる。一方、上半身セクションの重量は、適当なタイプの布地を採用したり、袖（スリーブ）を長くしたり短くしたりすることによって、若干変化する。
【００１６】
本発明の一実施形態に係るサイクリングウエアは、ロングスリーブとロングパンツとからなり、概ね全身を覆うオールインワン型のものである。また、他の実施形態に係るサイクリングウエアは、ショートスリーブとショートパンツとからなり、温暖な気象条件に適している。さらに他の実施形態に係るサイクリングウエアは、ノースリーブで、第１層のウエアは、体幹だけを覆うようになっている。
【００１７】
本発明のもう一つの様相においては、アンダーウエアとしての上半身セクションにおける各部分と、下半身セクションとで、重量がそれぞれ異なるサイクリングウエアを提供する。
【００１８】
本発明に係るサイクリングウエアには、必要に応じて、肩、肘、股等に補強材やパッドがあてがわれる。好ましい実施形態においては、股の部分に、少なくとも２つの適当な形状のパッドが、中央の座位ラインに関して対称にあてがわれる。
【００１９】
また、本発明に係るサイクリングウエアは、体幹の大部分を覆ってアンダーウエアとしての機能を有する上半身セクションと、体幹の下部と脚部を覆ってサイクリングタイツとしての機能を有する下半身セクションとが完全に一体となった一体成形型である。
【００２０】
本発明に係るサイクリングウエアの上半身セクションは、アンダーウエアの機能を発揮するため、股の部分に、アンダーウエアと同様の機能を発揮する布地を別個に当てる必要はない。また、この上半身セクションは、皮膚と直接接触することを想定して形成されている。サイクリストにとっては、ツーピースよりもシングルピースのウエアを着用する方が有利である。なぜならば、従来用いられている上下２つのウエアを組み合わせて着用するものよりも、はるかに良好に身体に密着するからである。本発明において、皮膚への密着性を改善したことは、重要である。本発明に係るサイクリングウエアは、皮膚に対して密着し、従来の二層型ウエア（アンダーウエアとジャケット）にみられた、皺が寄りやすいという問題を解消することができる。
【００２１】
本発明に係るサイクリングウエアは、身体に密着するため、特に、ペダルを漕ぐサイクリストの動きに良好に追随し、皮膚を擦過する原因となる不快な皺を生じさせないという優れた技術的効果を奏することができる。さらに、本発明の皮膚に密着するウエアは、空気力学的改善につながり、流体抵抗を最小にする。
【００２２】
本発明に係るサイクリングウエアの際立った技術的特徴は、身体の各部に対応する各部分で、通気度が異なることである。ウエアの各部分の通気度および重量は、ボディマッピングに従って調整される。
【発明の効果】
【００２３】
本発明のサイクリングウエアによれば、いわゆる「保温性の」アンダーウエア（Ｔシャツ）を別個に着用する必要ない。ただし、必要に応じ、ウィンドブレーカーとして、別にジャケットを着用することはできる。
【００２４】
本発明によるもう１つの効果は、従来のツーピース（例えばジャケットと、パンツまたはタイツ）型ウエアに代わって、身体への密着性に優れたシングルピース（またはオールインワン）型のウエアになることである。
【発明を実施するための最良の形態】
【００２５】
本発明の上記以外の特徴および効果は、添付の図面を参照して行う、以下の例示目的の好ましい実施形態についての説明から明らかになると思う。
【００２６】
本発明に係るシングルピース型サイクリングウエアは、ジャケットとアンダーウエアの機能を営む上半身セクション１と、パンツの機能を営む下半身セクション２とからなっている。
【００２７】
上半身セクション１は、着用者の少なくとも上半身を覆う形状となっており、下半身セクション２は、着用者の体幹下部と脚部の少なくとも一部を覆う形状となっている。上半身セクション１は、皮膚と直接接触し、アンダーウエアの機能を有する。他方、上半身セクション１と一体になっている下半身セクション２は、サイクリングタイツ、またはサイクリングパンツの機能を有する。
【００２８】
下半身セクション２は、一般に、上半身セクション１に用いられる繊維よりもコンシステンシー（繊維が一定方向に揃っていること）が高い弾性繊維（例えばライクラ繊維）から形成される。また、下半身セクション２は、ズボン状の脚部20と、足裏用弾性ストラップ22を備える足首部21とからなっている。
【００２９】
上半身セクション１は、次の各部からなっている。
−肩から臀部にかけて延び、体幹の前面と後面の中央部を覆うサスペンダー部10（超極細繊維から形成するのが好ましい）；
−腋窩から腰にかけての体幹の側方を覆う２つの側部11；
−襟部12；
−腋窩部13；
−シーム16に沿って接合している腕の内側領域を覆う部分14および腕の外側領域を覆う部分15からなる袖部；
−肩部17（柔らかい材料から形成されるパッドを、公知の態様でインサートとして配置するのが好ましい）。
【００３０】
上述の各部10〜17のいくつかは、上半身セクション１に、皮膚と直接接触するのに適したアンダーウエアまたは第１層の機能を発揮させるために、下半身セクション２よりも通気性が高い材料から形成される。
【００３１】
どの部分の通気性を高くするかは、ウエアの着用したときに接触する身体の部分に応じ、ボディマッピングに従って選択される。
【００３２】
股の部分（図２参照）には、発泡ポリエチレン、気泡ゴム、ゲル等の柔軟な材料から形成される２つのパッド23,23が配置されている。これらのパッド23,23は、適当な形状とされ、中央の座位ライン24の左右に、対称に配置される。パッドは、縫い付け、テープによる貼り付け、カップリング、ヒートシール、レーザによる縫合、超音波による縫合、糊付け等の公知の態様で、ウエアに取り付けられる。
【００３３】
その外、３つ以上、好ましくは４つ（股の前部と後部に２つずつ）のパッドを、それぞれ、左右対称に配置することもできる。
【００３４】
パッドの内側（皮膚に接触する側）には、擦過、起毛、細砕のうちのいずれかの処理（最も好ましいのは細砕処理）を施すのが好ましい。このような処理を施すと、パッドの内側が、毛羽立ち、柔軟で心地よくなり、「パイル」織物のような効果が生まれる。このような処置は、特に、サドルと接触する股の部分に講ずるのが好ましい。
【００３５】
図２に示すハムストリング領域25は、脚部20とは弾性が異なる。また、符号26は、脚部20の後側の縫い目を示す。
【００３６】
その外、上記のサイクリングウエアは、さほど低温でない場合に好適なショートパンツ型として、上半身セクション１も軽量にすることができる。
【００３７】
上記のように、本発明に係るサイクリングウエアは、上半身セクションにおいて、アンダーウエアの機能をもたせ、体幹を覆うとともに、下半身セクションによって、サイクリングタイツの機能も果たすことができる。
【図面の簡単な説明】
【００３８】
【図１】本発明に係るサイクリングウエアの正面図である。
【図２】同じく、背面図である。
【符号の説明】
【００３９】
１  上半身セクション
２  下半身セクション
10  サスペンダー部
11  側部
12  襟部
13  腋窩部
14  腕の内側領域を覆う部分
15  腕の外側領域を覆う部分
16  シーム
17  肩部
20  脚部
21  足首部
22  足裏用弾性ストラップ
23  パッド
24  中央の座位ライン
25  ハムストリング領域
26  脚部の後側の縫い目
【図１】
0005400371.tif 000002
【図２】
0005400371.tif 000003